(57)【要約】【課題】光学部材開口部が撮像レンズ光軸の下側にある場合に、光学部材開口部のさらに下側に回転軸を設けるとフードバリア全体が長くなり、径方向も大型化してしまい、撮像装置の小型化を阻害する要因となってしまう。【解決手段】撮像装置の撮像レンズ前方に取り付けられるフード部材に於いて、前記フード部材は第１の開口部と第２の開口部を有し、前記フード部材は前記撮像レンズを保護するバリア部材を備え、前記バリア部材は、回転軸を中心とした回動動作が可能で、前記回動動作により、前記第１の開口部を覆う第１の位置と開放する第２の位置を移動可能で、前記回転軸は前記第１の開口部と前記第２の開口部の間もしくは重なる位置に配置され、前記バリア部材には、前記バリア部材が前記第２の位置において前記第１の開口部と前記第２の開口部に光を透過させるための光路通過部を備える。【選択図】図４
2015138070.tif 000002
【特許請求の範囲】
【請求項１】
撮像装置の撮像レンズ前方に取り付けられるフード部材に於いて、
前記フード部材は第１の開口部と第２の開口部を有し、
前記フード部材は前記撮像レンズを保護するバリア部材を備え、
前記バリア部材は、回転軸を中心とした回動動作が可能で、
前記回動動作により、前記第１の開口部を覆う第１の位置と開放する第２の位置を移動可能で、
前記回転軸は前記第１の開口部と前記第２の開口部の間もしくは重なる位置に配置され、
前記バリア部材には、前記バリア部材が前記第２の位置において前記第１の開口部と前記第２の開口部に光を透過させるための光路通過部を備えていることを特徴とする、
撮像装置及び撮像装置に取り付けられるフード部材。
【請求項２】
前記光路通過部は前記バリア部材が前記第一の位置にある状態で、前記撮像レンズの光軸及び前記回転軸と直交する軸を中心とした円柱面内に構成されていることを特徴とする請求項１に記載の撮像装置及び撮像装置に取り付けられるフード部材。
【請求項３】
前記光路通過部の表面には遮光形状が設けられていることを特徴とする請求項１に記載の
撮像装置及び撮像装置に取り付けられるフード部材。
【発明の詳細な説明】
【技術分野】
【０００１】
本発明は、撮像装置及び撮像装置に取り付けられるフードに関する
【背景技術】
【０００２】
従来より特許文献１のように、ビデオカメラの撮像レンズ鏡筒に入光する有害光を遮光するフードとしての機能と、撮像レンズ前玉部を保護するとともに、未使用時に撮像レンズ内に集光して内部が高温になることを防ぐためのバリアの機能を備えたフードバリアが提案されている。
【先行技術文献】
【特許文献】
【０００３】
【特許文献１】特開2005-17523号公報
【発明の概要】
【発明が解決しようとする課題】
【０００４】
しかしながら、特許文献１のフードバリアは上下に２枚のバリア部を有しているために、部品点数が多く構造が複雑であるという問題があった。また、使用する部品点数が多いために、コストがかかるという問題があった。また、バリアが二枚であるため、バリアの中心にブランドロゴなどを記載することができない。また、上下に開くことで、上下ともに製品の高さが必要となってしまう。そのため、撮像レンズの光軸中心よりも下側の高さが少ない製品に使用できないという問題があった。そこで、１枚で構成されたバリアが光学部材開口部の設けられていない側に有した回転中心を中心として、光軸上方に開く構成を備えたフードバリアが提案されている。
【０００５】
しかしながら、提案されているようなフードバリアの構成では、光学部材開口部を避けるために、光学部材開口部の無い側に回転中心を設けてバリアを開閉動作する必要があった。しかし、光学部材開口部が撮像レンズ光軸の下側にある場合、回転中心を前記撮像レンズの上側に設ける必要があるため、フードバリアを振るなどすると、バリアの自重でバリアが撮像レンズの撮像範囲に現れて写りこんでしまうといった問題があった。光学部材開口部が撮像レンズ光軸の下側にある場合に、回転軸を光軸の下側にするために、光学部材開口部のさらに下側に回転軸を設けると、バリア自体が長くなるため、フードバリア全体が長くなってしまうという問題があった。長くなったフードが撮像レンズの光路を避けるためには、径方向も大型化してしまい、撮像装置の小型化を阻害する要因となってしまう。
【課題を解決するための手段】
【０００６】
本発明は、上記課題を解決するためになされたものであり、撮像装置の撮像レンズ前方に取り付けられるフード部材に於いて、前記フード部材は第１の開口部と第２の開口部を有し、前記フード部材は前記撮像レンズを保護するバリア部材を備え、前記バリア部材は、回転軸を中心とした回動動作が可能で、前記回動動作により、前記第１の開口部を覆う第１の位置と開放する第２の位置を移動可能で、前記回転軸は前記第１の開口部と前記第２の開口部の間もしくは重なる位置に配置され、前記バリア部材には、前記バリア部材が前記第２の位置において前記第１の開口部と前記第２の開口部に光を透過させるための光路通過部を備えていることを特徴とする。
【発明の効果】
【０００７】
以上説明したように、本発明によれば、光学部材開口部と同じ側にバリアの回転中心を設けても、フードバリアの全長を短く構成することができる。フードバリアの全長を短く構成することで、撮像装置を使用する際、全体の大きさが小さくなるため、使用者の利便性・携帯性を向上させることができる。
【図面の簡単な説明】
【０００８】
【図１】デジタルビデオカメラ１０１の外観斜視図
【図２】フードバリア１０９の外観図
【図３】バリア操作ノブ１１１とスライド部材２０５、バリア１１０の動作模式図
【図４】バリア１１０の外観図
【図５】フードバリア１０９の外観図及び断面図
【発明を実施するための形態】
【０００９】
＜第１の実施形態＞
図1(a)(b)(c)に本実施例におけるデジタルビデオカメラ１０１の外観斜視図を示す。
【００１０】
以降の説明に用いる前後上下左右は図示の座標系ｘｙｚ１０２に則る。ｘ方向の矢印方向が前、矢印と反対方向が後、ｙ方向の矢印方向が上、矢印と反対方向が下、ｚ方向の矢印方向が右、矢印と反対方向が左とする。
【００１１】
デジタルビデオカメラ１０１は一般的なデジタルビデオカメラで、撮像レンズ前玉部１０３を本体の前面に有し、本体右側面には収納可能な表示部１０４、本体左側面には把持部１０５を有している。
【００１２】
また、デジタルビデオカメラ１０１は前記撮像レンズ前玉部１０３の下側には光学部材開口部１０６を有している。光学部材開口部１０６の後ろ側には、測距センサーや発光部、受光部などが配置可能である。また、光学部材以外にも、開口が必要なたとえば集音用のマイクをここに配置してもよい。本実施例では測距センサーを配置したものとして説明する。
【００１３】
デジタルビデオカメラ１０１は撮像レンズ前玉部１０３の周辺にフード係合部１０７を二ヶ所有している。また、デジタルビデオカメラ１０１はフード係合部１０７の外周後ろ側に円形の回転操作部材１０８を有している。
【００１４】
図１(a)にフードバリア１０９を付けて、バリア１１０を開口した状態が図１(b)である。また、図１(a)にフードバリア１０９を付けて、バリア１１０を閉じた状態が図１(c)である。フードバリア１０９は撮像レンズ前玉部１０３に入光する有害光を遮光するフードとしての機能と、撮像レンズ前玉部１０３を保護するとともに、未使用時に撮像レンズ内に集光して内部が高温になることを防ぐためのバリアの機能を備えている。バリア１１０が開口する図１(b)の状態が撮像レンズを使用する状態であるとともに、バリア１１０が閉じる図１(c)は撮像レンズおよび内部を保護する状態である。
【００１５】
フードバリア１０９はバリア操作ノブ１１１を有し、バリア操作ノブ１１１を下側に移動したときに開口状態となり、上側に操作したときに閉じた状態になるのは図のとおりである。バリア操作ノブ１１１はバリア操作ノブガイド１１２によって、上下にスライド動作するように構成されている。
【００１６】
また、フードバリア１０９を装着した状態に於いても、光学部材開口部１０６が遮蔽されないように、フード側にも開口部１１３を有する。
【００１７】
図２(a)にフードバリア１０９の右側前方外観斜視図を示す。
【００１８】
フードバリア１０９は外観に表出するフード前カバー２０１、フード後カバー２０２、バリア操作ノブ１１１、バリア１１０と内部部材からなる。
【００１９】
図２(b)にフードバリア１０９の右側後方外観斜視図を示す。
【００２０】
フードバリア１０９の後ろ面にはデジタルビデオカメラ１０１本体の二か所のフード係合部１０７と係合する係合爪２０３を二か所有する。フード後カバー２０２には光学部材開口部１０６の前面に前述のフード前カバー２０１に設けられた開口部１１３と同様のフード後カバー開口部２０４を有している。
【００２１】
図２(c)はフードバリア１０９からフード後カバー２０２を除いた状態でバリア１１０を閉じた状態の右側後方斜視図を示す。また、図２(d)にはフードバリア１０９からフード後カバー２０２を除いた状態でバリア１１０を開いた状態の右側後方斜視図を示す。
【００２２】
前記内部部材とは、バリア操作ノブ１１１と接続されることで一体的に動くスライド部材２０５、スライド部材２０５の動きを緩和するダンパー２０６からなる。バリア操作ノブ１１１はフード後カバー２０２とフード前カバー２０１に挟まれ、フード後カバー２０２に設けられた前述のバリア操作ノブガイド１１２に沿って上下スライド可能に構成されている。
【００２３】
スライド部材２０５は図のように略Ｌ字状の部材で、バリア係合部２０７と遮蔽部２０８を有する。前述のとおり、バリア操作ノブ１１１を上に操作するとバリア１１０は閉じ状態となり、バリア操作ノブ１１１を下方向に操作するとバリア１１０は開く。遮蔽部２０８はスライド部材２０５の一部であるため、バリア操作ノブ１１１とともに上下動する構成となる。したがって、遮蔽部２０８は図２(c)の通り、バリア１１０が閉じているときに開口部１１３を覆い、図２(d)の通り、バリア１１０が開いているときには、開口部１１３から退避する。
【００２４】
このように構成することで、バリア１１０が閉じているときには開口部１１３が遮蔽部２０８に覆われているため、デジタルビデオカメラ１０１に取り付けられた状態でも、開口部１１３からゴミの侵入などがなく、内部が保護される。また、開口部１１３の開閉が、スライド部材２０５と一体で構成された遮蔽部２０８の上下動によって行われるため、遮蔽専用の部材を別途必要としない構成である。そのため、従来のバリアフードから部材を追加せずに開口部１１３の遮蔽と開口を実現することが可能である。
【００２５】
次に、スライド部材２０５の上下動によるバリア１１０の開閉動作について説明する。
【００２６】
図３はバリア操作ノブ１１１とスライド部材２０５、バリア１１０の動作模式図を示す。(a)は閉じた状態、(b)は開いた状態をそれぞれ示す。
【００２７】
バリア操作ノブ１１１はスライド部材２０５と図示しないねじや圧入部等で固定され、一体的に上下動するように構成されている。バリア１１０は回転中心３０１を中心に回転動作を行い、開閉する。バリア１１０はカム係合軸３０２を備え、前記スライド部材２０５のバリア係合部２０７がカム溝として係合することで、スライド部材２０５が上下動すると、バリア１１０のカム係合軸３０２が回転中心３０１を中心とした回転軌跡３０３で回転され、バリア１１０が回転する。
【００２８】
次にバリア１１０の形状について説明する。図４(a)は閉じた状態のバリア１１０の背面視図を、(b)には底面視図を示す。バリア１１０は前記回転中心３０１に設けられた回転軸４０１とレンズ保護部４０２からなり、レンズ保護部４０２の紙面表側には不要光反射防止処理を施してある。レンズ保護部４０２は図４(b)に示す通り湾曲した面４０３を有している。この湾曲した面４０３は図４(b)に示した光学部材光路通過範囲４０４を含む領域で構成されている。光学部材光路通過範囲４０４の機能については後述する。この光学部材光路通過範囲４０４を含む湾曲した面４０３は、バリア１１０が閉じた状態において、デジタルビデオカメラ１０１の光軸方向（座標系ｘｙｚ１０２のｘ軸）と直交したy軸を中心とした、略円柱面の形状をしているのは図のとおりである。光学部材光路通過範囲４０４を含んだ形状は本実施例のような円柱形状や湾曲形状でのみ得られるものではなく、最低限の構成としては矩形の形状でも得ることが可能である。
【００２９】
次に光学部材光路通過範囲４０４の機能について詳説する。図５(a)はバリア１１０が開いた状態のフードバリア１０９前面視図、(b)は(a)の図中A-A断面でみた断面図、図５(c)はバリア１１０が閉じた状態のフードバリア１０９前面視図、(d)は(c)の図中A-A断面でみた断面図をそれぞれ示す。
【００３０】
まず、図５(a)(b)を用いてバリア１１０が開いた状態について説明する。フード前カバー２０１には一般的なフードと同様に階段状の遮光部５０１が設けられている。この遮光部５０１はデジタルビデオカメラ１０１の撮像レンズ前玉部１０３に入光する有効光領域５０２に沿って、設けられている。また、開口部１１３からは、光学部材の光路５０３（図中斜線部）が形成されている。開いた状態でのバリア１１０が、有効光領域５０２と光学部材の光路５０３に干渉してしまうと、それらの持つ機能が損なわれてしまうため、光学部材光路通過範囲４０４は図のように、有効光領域５０２と光学部材の光路５０３に干渉しないように形成されている。また、バリア１１０の図中上面にはフード前カバー２０１に設けられた遮光部５０１と同様のバリア側遮光部５０４を備えることで、バリア１１０が開いている状態での不要光反射を防止している。前述のとおり、バリア１１０が開いた状態においては、開口部１１３からスライド部材２０５の遮蔽部２０８は退避しているのは図のとおりである。
【００３１】
次に、図５(c)(d)を用いてバリア１１０が閉じた状態について説明する。バリア１１０の回転中心３０１は図中で示す通りの位置にあり、この位置は光学部材の光路５０３の下端よりも上側に配置してある。回転中心３０１を光学部材の光路５０３よりも下に配置するとバリア１１０に光学部材光路通過範囲４０４を設ける必要はなくなるが、バリア１１０自体の長さが長くなるため、バリア１１０を開いた状態でのフードバリア１０９全体が大型化してしまうという問題がある。また、バリア１１０が閉じた状態で光学部材光路通過範囲４０４を塞ぐように、フード前カバー２０１に庇部５０５を設けることで、バリア１１０を閉じた状態でゴミが入ることを防止している。庇部５０５にもバリア１１０やフード前カバー２０１と同様に遮光部５０６が設けられている。こちらも前述のとおり、バリア１１０が閉じた状態においては、開口部１１３にはスライド部材２０５の遮蔽部２０８が存在しているのは図のとおりである。
【符号の説明】
【００３２】
１０１ ・・・・ デジタルビデオカメラ
１０２ ・・・・ 座標系ｘｙｚ
１０３ ・・・・ 撮像レンズ前玉部
１０４ ・・・・ 表示部
１０５ ・・・・ 把持部
１０６ ・・・・ 光学部材開口部
１０７ ・・・・ フード係合部
１０８ ・・・・ 回転操作部材
１０９ ・・・・ フードバリア
１１０ ・・・・ バリア
１１１ ・・・・ バリア操作ノブ
１１２ ・・・・ バリア操作ノブガイド
１１３ ・・・・ 開口部
２０１ ・・・・ フード前カバー
２０２ ・・・・ フード後カバー
２０３ ・・・・ 係合爪
２０４ ・・・・ フード後カバー開口部
２０５ ・・・・ スライド部材
２０６ ・・・・ ダンパー
２０７ ・・・・ バリア係合部
２０８ ・・・・ 遮蔽部
３０１ ・・・・ 回転中心
３０２ ・・・・ カム係合軸
３０３ ・・・・ 回転軌跡
４０１ ・・・・ 回転軸
４０２ ・・・・ レンズ保護部
４０３ ・・・・ 湾曲した面
４０４ ・・・・ 光学部材光路通過範囲
５０１ ・・・・ 遮光部
５０２ ・・・・ 有効光領域
５０３ ・・・・ 光学部材の光路
５０４ ・・・・ バリア側遮光部
５０５ ・・・・ 庇部
５０６ ・・・・ 遮光部
【図１】
2015138070.tif 000003
【図２】
2015138070.tif 000004
【図３】
2015138070.tif 000005
【図４】
2015138070.tif 000006
【図５】
2015138070.tif 000007